(57)【要約】【課題】配線モジュールの小型化を図る。【解決手段】単電池１１の配列方向に沿って複数配列される単位ユニット３０と、複数の単位ユニット３０を保持する樹脂プロテクタ２１と、を備え、単位ユニット３０は、バスバー３３と、単電池群１２の状態を検出するための電線４０と、バスバー３３と電線４０とを電気的に接続すると共に、電線４０に過電流が流れることを抑制するヒューズ３７と、ヒューズ３７が収容されるヒューズ収容部４２Ａと、バスバー３３の一部が収容されるバスバー収容部４１Ａと、を有するハウジング３１と、を備え、単位ユニット３０においては、バスバー３３、電線４０、及びヒューズ３７がそれぞれ少なくとも２つずつ設けられ、ハウジング３１は、少なくとも２つのヒューズ収容部４２Ａ、及び少なくとも２つのバスバー収容部４１Ａを有すると共に、樹脂プロテクタ２１に取り付けられる係止部３２を備えている。【選択図】図２
2017098108.tif 000002
【特許請求の範囲】
【請求項１】
正極及び負極の電極端子を有する蓄電素子が複数配列されてなる蓄電素子群に組み付けられる配線モジュールであって、
前記蓄電素子の配列方向に沿って複数配列される単位ユニットと、
複数の前記単位ユニットを保持する保持部材と、を備え、
前記単位ユニットは、
隣り合う２つの前記蓄電素子の前記電極端子同士を電気的に接続するバスバーと、
前記蓄電素子群の状態を検出するために前記蓄電素子に電気的に接続される電線と、
前記バスバーと前記電線とを電気的に接続すると共に、前記電線に過電流が流れることを抑制する過電流保護素子と、
前記過電流保護素子が収容される保護素子収容部と、前記バスバーの一部が収容されるバスバー収容部と、を有するハウジングと、を備え、
前記単位ユニットにおいては、前記バスバー、前記電線、及び前記過電流保護素子がそれぞれ少なくとも２つずつ設けられ、
前記ハウジングは、少なくとも２つの前記保護素子収容部、及び少なくとも２つの前記バスバー収容部を有すると共に、前記保持部材に取り付けられる取付部を備えている配線モジュール。
【請求項２】
２つの前記保護素子収容部のうち一方の保護素子収容部と、２つの前記バスバー収容部のうち一方のバスバー収容部とは、前記ハウジングにおける同じ側の端部に設けられ、
前記一方の保護素子収容部及び前記一方のバスバー収容部は、前記蓄電素子の配列方向に沿って隣り合う形で配され、
前記一方の保護素子収容部と前記一方のバスバー収容部が共通の壁部を有している請求項１に記載の配線モジュール。
【発明の詳細な説明】
【技術分野】
【０００１】
本発明は、配線モジュールに関する。
【背景技術】
【０００２】
従来、電気自動車やハイブリッド車用の電池モジュールとして、正極および負極の電極端子を有する複数の蓄電素子が並んで配置されたものが用いられている。このような電池モジュールとしては、正極の電極端子及び負極の電極端子が、バスバーによって接続されることにより、複数の蓄電素子が電気的に接続されるものが知られている。複数の蓄電素子を電気的に接続するために、例えば特許文献１に記載されているような配線モジュールが用いられる。
【先行技術文献】
【特許文献】
【０００３】
【特許文献１】特開２０１３−９７９６２号公報
【発明の概要】
【発明が解決しようとする課題】
【０００４】
上記配線モジュールとしては、ＥＣＵ等に接続されることで、蓄電素子の状態を検出するための電線や、この電線に過電流が流れることを抑制する過電流保護素子を備える構成が知られている。このような配線モジュールにおいては、設置スペースの制約などから小型化が求められており、この点において改善の余地があった。
【０００５】
本明細書に開示された技術は上記のような事情に基づいて完成されたものであって、配線モジュールの小型化を図ることを目的とする。
【課題を解決するための手段】
【０００６】
本明細書に開示された技術は、正極及び負極の電極端子を有する蓄電素子が複数配列されてなる蓄電素子群に組み付けられる配線モジュールであって、前記蓄電素子の配列方向に沿って複数配列される単位ユニットと、複数の前記単位ユニットを保持する保持部材と、を備え、前記単位ユニットは、隣り合う２つの前記蓄電素子の前記電極端子同士を電気的に接続するバスバーと、前記蓄電素子群の状態を検出するために前記蓄電素子に電気的に接続される電線と、前記バスバーと前記電線とを電気的に接続すると共に、前記電線に過電流が流れることを抑制する過電流保護素子と、前記過電流保護素子が収容される保護素子収容部と、前記バスバーの一部が収容されるバスバー収容部と、を有するハウジングと、を備え、前記単位ユニットにおいては、前記バスバー、前記電線、及び前記過電流保護素子がそれぞれ少なくとも２つずつ設けられ、前記ハウジングは、少なくとも２つの前記保護素子収容部、及び少なくとも２つの前記バスバー収容部を有すると共に、前記保持部材に取り付けられる取付部を備えていることに特徴を有する。
【０００７】
上記構成によれば、一つの単位ユニットにおいて、バスバー、電線、及び過電流保護素子がそれぞれ少なくとも２つずつ設けられており、一つのハウジングには、保護素子収容部及びバスバー収容部が少なくとも２つずつ設けられている。このようにすれば、例えば、２つの収容部（保護素子収容部又はバスバー収容部）を隣接して配することで、２つの収容部を構成する壁部を共通化することが可能となる。これにより、一つのハウジングに保護素子収容部及びバスバー収容部が一つずつ設けられている構成と比べて、ハウジングを小型化することができ、配線モジュールの小型化を図ることができる。また、一つのハウジングに保護素子収容部及びバスバー収容部が一つずつだけ設けられている構成と比べて、ハウジング（ひいては被取付部）の総数を減らすことができ、保持部材に対する複数の単位ユニットの取付作業をより容易に行うことができる。
【０００８】
また、２つの前記保護素子収容部のうち一方の保護素子収容部と、２つの前記バスバー収容部のうち一方のバスバー収容部とは、前記ハウジングにおける同じ側の端部に設けられ、前記一方の保護素子収容部及び前記一方のバスバー収容部は、前記蓄電素子の配列方向に沿って隣り合う形で配され、前記一方の保護素子収容部と前記一方のバスバー収容部が共通の壁部を有しているものとすることができる。このような構成とすれば、蓄電素子の配列方向におけるハウジングの長さをより小さくすることができる。
【発明の効果】
【０００９】
本発明によれば、配線モジュールの小型化を図ることができる。
【図面の簡単な説明】
【００１０】
【図１】一実施形態に係る電池モジュールを示す斜視図
【図２】図１の配線モジュールを示す斜視図
【図３】電池モジュールを示す平面図
【図４】カバーを取り外した状態の電池モジュールを示す平面図
【図５】電線の配策構造を示す平面図
【図６】単位ユニットを示す断面図（図４のＶＩ−ＶＩ線で切断した図に対応）
【図７】単位ユニットを示す断面図（図４のＶＩＩ−ＶＩＩ線で切断した図に対応）
【図８】単位ユニットを示す平面図
【図９】単位ユニットを示す分解斜視図
【図１０】単位ユニットを示す分解断面図
【図１１】単位ユニットを示す断面図（図８のＸＩ−ＸＩ線で切断した図に対応）
【図１２】単位ユニットを示す断面図（図８のＸＩＩ−ＸＩＩ線で切断した図に対応）
【発明を実施するための形態】
【００１１】
本発明の一実施形態を図１ないし図１２によって説明する。本実施形態に係る配線モジュール２０は、図１に示すように、電池モジュール１０の一部を構成するものとされる。電池モジュール１０は、電気自動車又はハイブリッド自動車等の車両に搭載されて、車両を駆動するための電源として使用されるものである。電池モジュール１０は、単電池１１が複数個配列されてなる単電池群１２（蓄電素子群の一例）を備えている。配線モジュール２０は、単電池群１２に対して組み付けられ、隣り合う単電池１１同士を電気的に接続するものである。
【００１２】
（単電池１１）
単電池１１（蓄電素子）は、扁平な略直方体形状をなしている。単電池１１の上面において、前後方向（図のＹ軸方向）の両端部には、電極端子１３（図７参照）がそれぞれ形成されている。一対の電極端子１３のうち、一方は正極端子であり、他方は負極端子である。単電池群１２においては、隣り合う電極端子１３が異なる極性となるように単電池１１が配列されている。
【００１３】
（配線モジュール２０）
配線モジュール２０は、図２に示すように、樹脂プロテクタ２１と、樹脂プロテクタ２１上に載置される複数の単位ユニット３０と、複数の単位ユニット３０のハウジング３１（後述）を一括して覆うカバー２３と、を備える。
【００１４】
（樹脂プロテクタ２１）
樹脂プロテクタ２１（保持部材）は、図２に示すように、上下方向（図のＺ軸方向）について薄い直方体状をなしており、単電池群１２を上方から覆う形で配されている。樹脂プロテクタ２１には、複数の単位ユニット３０が取り付けられる。これにより、樹脂プロテクタ２１は、複数の単位ユニット３０を一体的に保持する機能を担っている。また、樹脂プロテクタ２１は、単位ユニット３０が備えるバスバー３３の一端部が収容されるバスバー収容部２２を有している。
【００１５】
本実施形態では、単電池１１の配列方向に沿って並ぶ複数のハウジング３１を基準として、単電池１１の前後方向（Ｙ軸方向）の両側にそれぞれ複数のバスバー３３が配列されている（詳しくは後述）。バスバー３３は、図９に示すように、電極端子１３と接続されるバスバー本体部３３Ｄと、バスバー本体部３３Ｄに対して直交する形で屈曲された屈曲部３３Ａと、を備えている。
【００１６】
バスバー収容部２２は、図３に示すように、複数のバスバー３３に対応して複数設けられている。バスバー収容部２２は、上方に開口された略箱状をなしている。図７に示すように、バスバー３３のバスバー本体部３３Ｄは、バスバー収容部２２の底壁２２Ａに載置されている。バスバー収容部２２を構成する側壁部２２Ｂと底壁２２Ａとの間には、上下方向に貫通された長方形状の貫通孔２４Ａが形成されており、貫通孔２４Ａには、電極端子１３が下方から挿通されている。
【００１７】
具体的には、単電池１１の電極端子１３は、バスバー３３の延設方向に沿って延びると共に断面視Ｌ字状をなしている。電極端子１３の基端部は上下方向に沿って延びており、貫通孔２４Ａに挿通されている。一方、電極端子１３の先端部は、バスバー本体部３３Ｄの上面を覆う形で電極端子１３の基端部に対して屈曲されており、バスバー本体部３３Ｄに対して電気的に接続されている。本実施形態では、一つのバスバー３３に対して、隣り合う２つの単電池１１，１１の電極端子１３，１３が積層されている。これにより、バスバー３３を介して、隣り合う２つの単電池１１の電極端子１３，１３（正極端子及び負極端子）同士が電気的に接続される。
【００１８】
（単位ユニット３０）
単位ユニット３０は、図８及び図９に示すように、ハウジング３１と、バスバー３３と、中継端子３５と、ヒューズ３７（過電流保護素子）と、電線端子３９と、電線４０（図１０参照）と、を備えている。本実施形態では、ハウジング３１に対して、互いに逆方向に延びる一対（２本）のバスバー３３，３３が取り付けられている。また、一対のバスバー３３，３３の各々に対応して、中継端子３５、ヒューズ３７、電線端子３９、電線４０も一対（２つずつ）設けられている。
【００１９】
ハウジング３１は、Ｙ軸方向に沿って長い長手状をなしている。ハウジング３１は、図１０に示すように、バスバー３３の一端部（屈曲部３３Ａ）が収容されるバスバー収容部４１Ａと、中継端子３５が収容される中継端子収容空間４６を有する中継端子収容部４６Ａと、ヒューズ３７が収容されるヒューズ収容部４２Ａ（保護素子収容部）と、電線端子３９が収容される電線端子収容部４３Ａと、を備えている。
【００２０】
バスバー収容部４１Ａは、屈曲部３３Ａが挿入されるバスバー用開口部４１を有しており、ヒューズ収容部４２Ａは、ヒューズ３７が挿入されるヒューズ用開口部４２（保護素子用開口部）を有している。また、電線端子収容部４３Ａは、電線端子３９が挿入される電線端子用開口部４３を有している。電線端子収容部４３Ａは、バスバー収容部４１Ａの上方に配されている。
【００２１】
ヒューズ収容部４２Ａの内部空間は、その下部において中継端子収容空間４６と連通され、その上部において電線端子収容部４３Ａの内部空間と連通されている。また、ハウジング３１の上面における電線端子用開口部４３と反対側の端部には、Ｌ字状をなす片持ち状の電線保持片４５（後述）がハウジング３１と一体的に設けられている。図６に示すように、ハウジング３１の下部には、樹脂プロテクタ２１に設けられた一対の係止突起２５，２５にそれぞれ係止する一対の係止部３２，３２（取付部）が設けられている。これにより、ハウジング３１が樹脂プロテクタ２１に対して取り付けられる構成となっている。また、図６に示すように、樹脂プロテクタ２１は、隣り合う単位ユニット３０，３０の間に配される仕切壁部２１Ａを有している。
【００２２】
バスバー３３は、例えば純銅製又は銅合金製の板材を所定の形状に打ち抜き加工することにより形成されている。バスバー３３はアルミニウム製又はアルミニウム合金製でもよく、表面にスズ、ニッケル等の金属がメッキされていてもよい。
【００２３】
中継端子３５は、図１０に示すように、Ｙ軸方向に長い長手状をなしており、筒状をなす一端部３５Ａ及び他端部３５Ｂを備えている。バスバー３３とヒューズ３７とは、中継端子３５を介して、電気的に接続される構成となっている。バスバー３３の屈曲部３３Ａは、図１１に示すように、その先端部の幅が基端側に比べて小さく設定されており、先端部は中継端子３５の一端部３５Ａに挿入されている。一端部３５Ａ内には、弾性接触片（図示せず）が設けられ、挿入されたバスバー３３に対して弾性接触片が弾性的に接触することで、バスバー３３が保持されている。また、屈曲部３３Ａの上面には、位置決め用の突部３３Ｂが形成されている。図１１に示すように、突部３３Ｂが一端部３５Ａに対して当接することで、それ以上のバスバー３３の挿入が規制される。
【００２４】
ヒューズ３７は、図１１に示すように、平面視Ｔ字型の樹脂ホルダ３７Ａと、一対のヒューズ側端子３７Ｂ，３７Ｃと、を備えている。一対のヒューズ側端子３７Ｂ，３７Ｃのうち、一方のヒューズ側端子３７Ｂは、中継端子３５の他端部３５Ｂに対して挿入されている。他端部３５Ｂ内には、図示しない弾性接触片が設けられ、挿入されたヒューズ側端子３７Ｂに対して弾性接触片が弾性的に接触することで、ヒューズ側端子３７Ｂが保持されている。
【００２５】
電線４０は、単電池群１２の状態（例えば電極電圧）を検出するために単電池１１に電気的に接続されるもので、複数の金属細線を撚り合わせてなる芯線４０Ａと、芯線の外周を被覆する合成樹脂製の絶縁被覆４０Ｂと、を備えている。芯線４０Ａは、銅、銅合金、アルミニウム、アルミニウム合金等、必要に応じて任意の金属から構成される。電線４０の端末においては、絶縁被覆４０Ｂが剥離されることにより、芯線４０Ａが露出している。なお、芯線４０Ａは単芯線であってもよい。
【００２６】
電線端子３９は、電線４０の一端部に接続されている。電線端子３９における電線４０と反対側の端部は、筒状の接続部３９Ａとされる。一対のヒューズ側端子３７Ｂ，３７Ｃのうち、他方のヒューズ側端子３７Ｃは、接続部３９Ａ内に挿入され、電線端子３９と接続されている。なお、接続部３９Ａ内には、図示しない弾性接触片が設けられ、挿入されたヒューズ側端子３７Ｃに対して弾性接触片が弾性的に接触することで、ヒューズ側端子３７Ｃが保持されている。
【００２７】
図５及び図１１に示すように、電線４０はハウジング３１における長手方向の一端部（又は他端部）から引き出される。電線４０の他端側は、図示しないＥＣＵ等に接続される。このＥＣＵ等により、電線４０を介して単電池１１の電極電圧（単電池群の状態）が検出される構成となっている。本実施形態では、ハウジング３１内において、バスバー３３、中継端子３５、ヒューズ３７、電線端子３９、電線４０の順番で接続される構成となっている。これにより、バスバー３３と電線４０とがヒューズ３７を介して電気的に接続され、単電池１１から電線４０に過電流が流れる事態を抑制することが可能となっている。
【００２８】
本実施形態では、図１に示すように、複数の単位ユニット３０が単電池１１の配列方向（Ｘ軸方向）に沿って配列されている。そして、ヒューズ用開口部４２の開口方向、バスバー用開口部４１の開口方向、複数の単位ユニット３０の配列方向が同一面上に配されている。なお、図４に示すように、単電池１１の配列方向における両端に配される単位ユニット３０は、バスバー３３の代わりとして、バスバー３３よりも面積の大きいバスバー３４を備えている。このバスバー３４には、単電池１１の電極端子１３が１つだけ接続される構成となっている。また、バスバー３４には外部機器に対して接続される電極端子１５が電気的に接続されている。なお、図４は、平面視における配線モジュール２０を示す図である。ここで言う平面視とは、配線モジュール２０を単電池群１２とは反対側から視た状態であり、本実施形態では、上側から視た状態のことを言う。なお、平面視は上側から視た状態に限定されず、単電池群１２に対する配線モジュール２０の組み付け方向によって適宜変更可能である。
【００２９】
本実施形態の単位ユニット３０では、上述したように、バスバー３３、中継端子３５、ヒューズ３７、電線端子３９及び電線４０が一対（２つずつ）設けられており、これに対応して、バスバー収容部４１Ａ、中継端子収容部４６Ａ、ヒューズ収容部４２Ａ、電線端子収容部４３Ａも一対（２つずつ）設けられている。図１２に示すように、ハウジング３１の長手方向（Ｙ軸方向）における一端側（及び他端側）においては、ヒューズ収容部４２Ａと、バスバー収容部４１ＡとがＸ軸方向において隣り合う形で配されており、ヒューズ収容部４２Ａと電線端子収容部４３ＡとがＸ軸方向において隣り合う形で配されている。つまり、２つのヒューズ収容部４２Ａのうち一方のヒューズ収容部４２Ａと、２つのバスバー収容部４１Ａのうち一方のバスバー収容部４１Ａと、はハウジング３１における同じ側の端部に設けられている。
【００３０】
さらに、Ｘ軸方向において隣り合うヒューズ収容部４２Ａとバスバー収容部４１Ａは、共通の壁部４７（一方の保護素子収容部と一方のバスバー収容部の共通の壁部）を有している。また、図６に示すように、ハウジング３１の長手方向における中央部では、Ｘ軸方向において、２つの電線端子収容部４３Ａ，４３Ａが隣り合う形で配されると共に、２つの中継端子収容部４６Ａ，４６Ａが隣り合う形で配されている。隣り合う２つの中継端子収容部４６Ａ，４６Ａは、共通の壁部４８を有している。
【００３１】
図５に示すように、一つの単位ユニット３０において、２本の電線４０，４０は、ハウジング３１における一端部及び他端部から、それぞれ引き出されている。ハウジング３１には、引き出された電線４０の各々と隣接する形で電線保持片４５がそれぞれ設けられている。電線４０は、ハウジング３１から電線端子用開口部４３の開口方向（Ｙ軸方向のいずれか一方）に引き出された後、反対側に屈曲され、隣接する電線保持片４５によって保持される。具体的には、図１１に示すように、電線４０（図１１の２点鎖線）は、電線保持片４５とハウジング３１の上面との間に配される構成となっている。
【００３２】
配線モジュール２０全体では、電線保持片４５は、Ｘ軸方向に沿って複数配列され、電線４０は、複数の電線保持片４５によって保持されることで、Ｘ軸方向に沿って配策されている。複数のハウジング３１から引き出された各電線４０は、Ｘ軸方向における一方（図５では右側）に延びており、図示しないコネクタなどに接続される。なお、図５では、複数の電線４０のうち、一部の電線４０のみを図示している。また、本実施形態では、Ｘ軸方向に沿って配列された複数の電線保持片４５の列がハウジング３１群の一端部と他端部にそれぞれ設けられ、各単位ユニット３０の各電線４０は、２列の電線保持片４５の間に配される。このため、Ｘ軸方向に延びる電線４０をハウジング３１の上面に確実に配置することができる。
【００３３】
（配線モジュール２０及び電池モジュール１０の組立方法）
次に、配線モジュール２０及び電池モジュール１０の組立方法の一例について説明する。なお、配線モジュール２０及び電池モジュール１０の組立方法は、以下の記載に限定されない。まず、ハウジング３１におけるバスバー用開口部４１を通じて、中継端子収容空間４６に中継端子３５をそれぞれ収容し、その後、バスバー３３の屈曲部３３Ａをバスバー用開口部４１に挿入し、中継端子３５の一端部３５Ａに接続する。次に、各ハウジング３１の電線端子収容部４３Ａに電線端子３９をそれぞれ収容する。
【００３４】
そして、ヒューズ用開口部４２を通じてヒューズ収容部４２Ａ内にヒューズ３７を収容する。なお、上記作業は一対のバスバー３３，３３に対応してそれぞれ行われる。続いて、各ハウジング３１を樹脂プロテクタ２１に取り付けると共に、樹脂プロテクタ２１のバスバー収容部２２にバスバー３３を収容する。最後に、各ハウジング３１から引き出された各電線４０を複数の電線保持片４５に引っ掛ける。これにより、配線モジュール２０が完成する。
【００３５】
続いて、配線モジュール２０を単電池群１２に対して上方から取り付ける。この時、単電池１１の電極端子１３をバスバー収容部２２の貫通孔２４Ａに対して下方から挿通させる。その後、電極端子１３の上部をバスバー３３側に折り曲げた後、レーザー溶接などによってバスバー３３に対して接続する。これにより、電池モジュール１０が完成する。なお、バスバー３３に対する電極端子１３の接続は、レーザー溶接の他、例えばアーク溶接、抵抗溶接、超音波溶接などによって行うことができる。
【００３６】
（実施形態の効果）
次に、本実施形態の効果について説明する。本実施形態によれば、一つの単位ユニット３０について、バスバー３３、電線４０、及びヒューズ３７がそれぞれ２つずつ設けられており、一つのハウジング３１には、ヒューズ収容部４２Ａ及びバスバー収容部４１Ａが２つずつ設けられている。このようにすれば、２つの収容部（例えばヒューズ収容部４２Ａ及びバスバー収容部４１Ａ）を隣接して配することで、２つの収容部を構成する壁部を共通化することが可能となる。これにより、一つのハウジング３１にヒューズ収容部４２Ａ及びバスバー収容部４１Ａが一つずつだけ設けられている構成と比べて、ハウジング３１を小型化することができ、配線モジュール２０の小型化を図ることができる。また、一つのハウジング３１にヒューズ収容部４２Ａ及びバスバー収容部４１Ａが一つずつだけ設けられている構成と比べて、ハウジング３１（ひいては係止部３２）の総数を減らすことができ、樹脂プロテクタ２１に対する複数の単位ユニット３０の取付作業をより容易に行うことができる。
【００３７】
また、ハウジング３１は、長手状をなし、２つのヒューズ収容部４２Ａのうち、一方のヒューズ収容部４２Ａは、ハウジング３１の長手方向における一端側に設けられ、２つのバスバー収容部４１Ａのうち、一方のバスバー収容部４１Ａは、ハウジング３１の長手方向における一端側に設けられ、一方のヒューズ収容部４２Ａ及び一方のバスバー収容部４１Ａは、単電池１１の配列方向に沿って隣り合う形で配され、一方のヒューズ収容部４２Ａと一方のバスバー収容部４１Ａが共通の壁部４７を有している。このような構成とすれば、単電池１１の配列方向におけるハウジング３１の長さをより小さくすることができる。
【００３８】
＜他の実施形態＞
本発明は上記記述及び図面によって説明した実施形態に限定されるものではなく、例えば次のような実施形態も本発明の技術的範囲に含まれる。
（１）上記実施形態では、蓄電素子として単電池を例示したが、これに限定されない。蓄電素子として、キャパシタなどを例示することができる。
（２）上記実施形態では、過電流保護素子としてヒューズを例示したが、これに限定されない。過電流保護素子として、ＰＴＣサーミスタなどを例示することができる。
（３）上記実施形態では、中継端子３５を介してヒューズ３７とバスバー３３が電気的に接続されるものを例示したが、これに限定されない。ヒューズ３７とバスバー３３とが直接的に接続されていてもよい。
（４）上記実施形態では、一つの単位ユニット３０について、バスバー３３、電線４０、及びヒューズ３７が２つずつ設けられたものを例示したが、これに限定されない。一つの単位ユニット３０について、バスバー３３、電線４０、及びヒューズ３７がそれぞれ３つ以上設けられていてもよい。
（５）上記実施形態では、樹脂プロテクタ２１（保持部材）に取り付けられる取付部として係止部３２を例示したが、これに限定されない。
（６）上記実施形態では、一つのハウジング３１において、ヒューズ収容部４２Ａとバスバー収容部４１ＡとがＸ軸方向について隣り合う形で配されている構成を例示したが、これに限定されない。例えば、一つのハウジング３１において、２つのヒューズ収容部４２Ａ（又は２つのバスバー収容部４１Ａ）同士がＸ軸方向について隣り合う形で配されていてもよい。
【符号の説明】
【００３９】
１１：単電池（蓄電素子）
１２：単電池群（蓄電素子群）
１３：電極端子
２０：配線モジュール
２１：樹脂プロテクタ（保持部材）
４１Ａ：バスバー収容部（ハウジングのバスバー収容部）
３０：単位ユニット
３１：ハウジング
３２：係止部（取付部）
３３：バスバー
３７：ヒューズ（過電流保護素子）
４０：電線
４２Ａ：ヒューズ収容部（保護素子収容部）
４７：壁部（一方の保護素子収容部と一方のバスバー収容部の共通の壁部）
【図１】
2017098108.tif 000003
【図２】
2017098108.tif 000004
【図３】
2017098108.tif 000005
【図４】
2017098108.tif 000006
【図５】
2017098108.tif 000007
【図６】
2017098108.tif 000008
【図７】
2017098108.tif 000009
【図８】
2017098108.tif 000010
【図９】
2017098108.tif 000011
【図１０】
2017098108.tif 000012
【図１１】
2017098108.tif 000013
【図１２】
2017098108.tif 000014